(57)【要約】【課題】本発明は、外観が損なわれることが抑制されるマーク表示構造を提供する。【解決手段】マーク表示構造５０は、筐体３１の一部を構成するとともに筐体３１の外側に露出し、マーク４０，４１，４２，４３の輪郭線４０ａ，４１ａ，４２ａ，４３ａに対応する外周縁５２ａ，５３ａ，５４ａ，５５ａを有する表示孔５２，５３，５４，５５が形成される第２の壁部３１ｂと、マーク表示体５１と、を備える。マーク表示体５１は、表示孔５２，５３，５４，５５内に収容される表示部６０，６１，６２，６３，６４と、第２の壁部３１ｂ側に係合する本体部７１，７６，９１と、を有する。【選択図】      図４
2007065176.tif 000002
【特許請求の範囲】
【請求項１】
環状に閉じた輪郭線を有するマークを筐体の表面に表示するマーク表示構造であって、
前記マーク表示構造は、
前記筐体の一部を構成するとともに前記筐体の外側に露出し、前記マークの前記輪郭線に対応する外周縁を有する表示孔が形成される壁部と、
前記表示孔内に収容される表示部と、前記壁部側に係合する係合部と、を有するマーク表示体と、
を備えることを特徴とするマーク表示構造。
【請求項２】
前記マークが、互いに相対的に外側と内側とに位置するとともに環状に閉じる外側環状線と内側環状線との間に規定される少なくとも一つの閉範囲と、前記内側環状線に囲まれることによって規定される閉範囲と、を有する場合、
前記表示部は、前記各閉範囲に対応する部分を備えることを特徴とする請求項１に記載のマーク表示構造。
【請求項３】
前記各閉範囲に対応する部分は、互いに一体に形成されることを特徴とする請求項２に記載のマーク表示構造。
【請求項４】
前記表示部において、前記各閉範囲に対応する部分のうち少なくとも互いに隣り合うどうしは、それぞれ別々の部材で形成されることを特徴とする請求項２に記載のマーク表示構造。
【請求項５】
前記複数の閉範囲のうち所定の閉範囲の内側において、少なくともこの閉範囲の内側環状線によって規定される閉範囲が複数ある場合、これらの閉範囲を表す部分は、互いに一体に形成されることを特徴とする請求項４に記載のマーク表示構造。
【請求項６】
前記マークを複数表示する場合、
各マークにおいて、前記輪郭線から内側に向かって同じ順番にある閉範囲は、互いに一体に形成されることを特徴とする請求項４または請求項５に記載のマーク表示構造。
【請求項７】
請求項１の記載において、
光源を備え、
前記マーク表示部は、透明体であることを特徴とするマーク表示構造。
【請求項８】
前記表示部において前記輪郭線を前記外側環状線とする閉範囲に対応する部分の表面の位置は、前記壁部の表面の位置と異なり、かつ前記表示部において前記複数の閉範囲を表す部分のうち、互いに隣り合うどうしの表面の位置は、互いに異なることを特徴とする請求項２に記載のマーク表示構造。
【請求項９】
筐体と、
環状に閉じた輪郭線を有するマークを前記筐体の表面に表示するマーク表示構造と、
を備え、
前記マーク表示構造は、
前記筐体の一部を構成するとともに前記筐体の外側に露出し、前記マークの前記輪郭線に対応する外周縁を有する表示孔が形成される壁部と、
前記表示孔内に収容される表示部と、前記壁部側に前記筐体の内側から外側へ向かう方向に係合する係合部と、を有するマーク表示体と、
を備えることを特徴とする電子機器。
【請求項１０】
前記マークが、互いに相対的に外側と内側とに位置するとともに環状に閉じる外側環状線と内側環状線との間に規定される少なくとも一つの閉範囲と、前記内側環状線によって囲まれることによって規定される閉範囲と、を有する場合、
前記マーク表示部は、前記各閉範囲に対応する部分を備えることを特徴とする請求項９に記載の電子機器。
【請求項１１】
前記各閉範囲に対応する部分は、互いに一体に形成されることを特徴とする請求項１０に記載の電子機器。
【請求項１２】
前記表示部において、前記各閉範囲に対応する部分のうち少なくとも互いに隣り合うどうしは、それぞれ別々の部材で形成されることを特徴とする請求項１０に記載の電子機器。
【請求項１３】
前記複数の閉範囲のうち、所定の閉範囲の内側において、少なくともこの閉範囲の内側環状線によって規定される閉範囲が複数ある場合、これらの閉範囲を表す部分は、互いに一体に形成されることを特徴とする請求項１２に記載の電子機器。
【請求項１４】
前記マークを複数表示する場合、
各マークにおいて、前記輪郭線から内側に向かって同じ順番にある閉範囲は、互いに一体に形成されることを特徴とする請求項１２または請求項１３に記載の電子機器。
【請求項１５】
前記表示部は、透明体であり、
前記マーク表示構造は、前記表示部を照らす光源を備えることを特徴とする請求項９に記載の電子機器。
【請求項１６】
前記表示部において前記輪郭線を前記外側環状線とする閉範囲に対応する部分の表面の位置は、前記壁部の表面の位置と異なり、かつ前記表示部において前記複数の閉範囲を表す部分のうち、互いに隣り合うどうしの表面の位置は、互いに異なることを特徴とする請求項１０に記載の電子機器。
【発明の詳細な説明】
【技術分野】
【０００１】
本発明は、筐体の表面に、例えば文字などを表示するマーク表示構造、およびマーク表示構造を備える電子機器に関する。
【背景技術】
【０００２】
例えばポータブルコンピュータなどの電子機器の筐体の表面には、その名称、記号、模様などのマークが表示されている。
【０００３】
上記のようなマークを表示する構造として、例えば、筐体の表面には、マークの外周形状に対応する凹部が形成されている。そして、この凹部内に、シールが外側から嵌め込まれている。この構造によって、マークが表現されている。
【０００４】
この種のマーク表示構造では、シールが剥がれてしまうことが考えられる。マークが剥がれると、外観が損なわれることが考えられる。
【０００５】
一方、ポータブルミニディスク記録・再生装置などでは、筐体の表面に操作部が設けられている。この種の操作部は、使用者が操作する操作ボタンと、筐体の表面に形成される開口部と、を備えている。
【０００６】
操作ボタンは、筐体の内側から開口部内を通って筐体の外に露出する。操作ボタンの淵には、開口部の縁に係合するフランジが形成されており、操作ボタンが開口部から外れないようになっている。（例えば、特許文献１参照。）。
【特許文献１】特開２００２−１９７８４９号公報
【発明の開示】
【発明が解決しようとする課題】
【０００７】
しかし、特許文献１に開示されている操作部構造は、マークを表示するようには考慮されていない。
【０００８】
したがって、本発明の目的は、外観が損なわれることが抑制されるマーク表示構造を提供することにある。
【０００９】
本発明の他の目的は、外観が損なわれることが抑制されるマーク表示構造を備える電子機器を提供することにある
【課題を解決するための手段】
【００１０】
本発明のマーク表示構造は、環状に閉じた輪郭線を有するマークを筐体の表面に表示する。前記マーク表示構造は、前記筐体の一部を構成するとともに前記筐体の外側に露出し、前記マークの前記輪郭線に対応する外周縁を有する表示孔が形成される壁部と、マーク表示体と、を備える。前記マーク表示体は、前記表示孔内に収容される表示部と、前記壁部側に係合する係合部と、を有する。
【発明の効果】
【００１１】
本発明のマーク表示構造では、外観が損なわれることが抑制される。
【発明を実施するための最良の形態】
【００１２】
本発明の第１の実施形態に係る電子機器を、ポータブルコンピュータ１０を一例に、図１から図１５を参照して説明する。
【００１３】
図１は、ポータブルコンピュータ１０を示している。図１に示すように、ポータブルコンピュータ１０は、コンピュータ本体２０と、表示ユニット３０と、を備えている。
【００１４】
コンピュータ本体２０は、コンピュータハウジング２１と、キーボード２２と、などを備えている。コンピュータハウジング２１は、扁平な箱状である。コンピュータハウジング２１は、上壁部２１ａと、下壁部２１ｂと、前壁部２１ｃと、後壁部２１ｄと、左壁部２１ｅと、右壁部２１ｆと、を有している。キーボード２２は、上壁部２１ａに設置されている。
【００１５】
表示ユニット３０は、筐体３１と、液晶表示パネル３２と、を備えている。
【００１６】
筐体３１は、扁平な箱状である。筐体３１は、第１の壁部３１ａと、第２の壁部３１ｂと、第３の壁部３１ｃと、第４の壁部３１ｄと、第５の壁部３１ｅと、を有している。
【００１７】
筐体３１は、図示しないヒンジによって、コンピュータハウジング２１に、閉じ状態と、開き状態との間で回動自由に連結されている。閉じ状態は、表示ユニット３０がキーボード２２を上方から覆うようにコンピュータ本体２０の上に横たわる状態である。開き状態は、表示ユニット３０がキーボード２２や後述されるスクリーン３２ａを露出させるようにコンピュータ本体２０に対して起立する状態である。図１は、開いた状態を示している。
【００１８】
第１の壁部３１ａは、表示ユニット３０が開いた状態において、前方に向いている。第１の壁部３１ａには、開口部３３が形成されている。開口部３３は、筐体３１の内側と外側とを連通している。
【００１９】
図２は、表示ユニット３０が閉じた状態を示している。図２に示すように、第２の壁部３１ｂは、表示ユニット３０が閉じた状態において、上方に向いている。図１に示すように、第３の壁部３１ｃは、表示ユニット３０が開いた状態において、第１の壁部３１ａの上縁と第２の壁部３１ｂの上縁とに連結されている。
【００２０】
第４の壁部３１ｄは、第１の壁部３１ａの左縁と第２の壁部３１ｂの左縁とに連結されている。第５の壁部３１ｅは、第１の壁部３１ａの右縁と第２の壁部３１ｂの右縁とに連結されている。
【００２１】
液晶表示パネル３２は、筐体３１内に収容されている。液晶表示パネル３２は、画像を表示するスクリーン３２ａを有している。スクリーン３２ａは、筐体３１の第１の壁部３１ａに形成された開口部３３を通じて筐体３１の外方に露出している。
【００２２】
図２に示すように、第２の壁部３１ｂの表面３４には、複数のマークが表示されている。図３は、図２中に示されるＦ３の範囲を拡大して示している。図２と図３とに示すように、本実施形態では、第２の壁部３１ｂの表面３４には、第１のマーク４０と、第２のマーク４１と、第３のマーク４２と、第４のマーク４３と、が表されている。
【００２３】
第１のマーク４０は、「Ａ」を表している。第２のマーク４１は、「Ｂ」を表している。第３のマーク４２は、「Ｃ」を表している。第４のマーク４３は、「Ｄ」を表している。
【００２４】
それゆえ、ポータブルコンピュータ１０は、マーク表示構造５０を備えている。本実施形態のマーク表示構造５０は、第１〜第４のマーク４０，４１，４２，４３を表している。
【００２５】
なお、本発明で言うマークとは、環状に閉じた輪郭線を有して表されるものの概念である。つまり、「Ａ」、「Ｂ」、「Ｃ」、「Ｄ」は、それぞれ、輪郭線４０ａ，４１ａ，４２ａ，４３ａを有しており、マークとして認識されている。
【００２６】
図４は、マーク表示構造５０が分解された状態を示している。図４に示すように、マーク表示構造５０は、第２の壁部３１ｂと、マーク表示体５１と、を備えている。図５は、第２の壁部３１ｂに、後述されるマーク表示体５１の表示部が収容されていない状態を示している。
【００２７】
図４と図５とに示すように、第２の壁部３１ｂには、第１〜第４のマーク４０，４１，４２，４３に対応する第１〜第４の表示孔５２，５３，５４，５５が形成されている。
【００２８】
第１の表示孔５２は、第２の壁部３１ｂを貫通している。第１の表示孔５２の外周縁５２ａは、第１のマーク４０が示す「Ａ」の輪郭線４０ａに対応している。具体的には、第１の表示孔５２の外周縁５２ａは、「Ａ」の輪郭線４０ａと略同じ形状である。
【００２９】
第２の表示孔５３は、第２の壁部３１ｂを貫通している。第２の表示孔５３の外周縁５３ａは、第２のマーク４１が示す「Ｂ」の輪郭線４１ａに対応している。具体的には、第２の表示孔５３の外周縁５３ａは、「Ｂ」の輪郭線４１ａと略同じ形状である。
【００３０】
第３の表示孔５４は、第２の壁部３１ｂを貫通している。第３の表示孔５４の外周縁５４ａは、第３のマーク４２が示す「Ｃ」の輪郭線４２ａに対応している。具体的には、第３の表示孔５４の外周縁５４ａは、「Ｃ」の輪郭線４２ａと略同じ形状である。
【００３１】
第４の表示孔５５は、第２の壁部３１ｂを貫通している。第４の表示孔５５の外周縁５５ａは、第４のマーク４３が示す「Ｄ」の輪郭線４３ａに対応している。具体的には、第４の表示孔５５の外周縁５５ａは、「Ｄ」の輪郭線４３ａと略同じ形状である。
【００３２】
図６は、第２の壁部３１ｂの内面３５を示している。内面３５は、筐体３１の内側に面している。図６は、第２の壁部３１ｂにおいて、第１〜第４の表示孔５２，５３，５４，５５が形成される範囲１００の近傍を示している。
【００３３】
図４と図６とに示すように、第２の壁部３１ｂには、複数の溶着ピン５６が設けられている。各溶着ピン５６は、第１〜第４の表示孔５２，５３，５４，５５が形成される範囲１００の周囲に配置されている。各溶着ピン５６は、内面３５から筐体３１の内側に向かって延びている。
【００３４】
図４に示すように、マーク表示体５１は、第１〜第４の表示部６０，６１，６２，６３を備えている。
【００３５】
第１の表示部６０は、第１の表示孔５２内に収容される。第１の表示部６０は、第１の表示孔５２内に収容されることによって、第１の表示孔５２を塞ぐ。
【００３６】
ここで、第１のマーク４０について、詳細に説明する。図７は、各マーク４０，４１，
４２，４３の平面図である。７３に示すように、第１のマーク４０は、「Ａ」を表している。第１のマーク４０の形状、つまり「Ａ」という形状は、第１の閉範囲４０ｂと、第２の閉範囲４０ｃと、を有しており、これら第１，２の閉範囲４０ｂ，４０ｃによって、「Ａ」という形状に認識されている。
【００３７】
具体的に説明すると、第１のマークは、輪郭線４０ａの内側に、略台形状の第１の環状線４０ｄを有している。第１の環状線４０ｄは、閉じている。第１の閉範囲４０ｂは、輪郭線４０ａと第１の環状線４０ｄとの間に規定される範囲である。つまり、第１の閉範囲４０ｂは、輪郭線４０ａの内側であってかつ第１の環状線４０ｄの外側の範囲である。第１の閉範囲４０ｂは、閉じている。
【００３８】
第２の閉範囲４０ｃは、第１の環状線４０ｄによって囲まれることによって規定される範囲である。第２の閉範囲４０ｃは、閉じている。
【００３９】
第１の環状線４０ｄは、輪郭線４０ａの内側に位置している。輪郭線４０ａと第１の環状線４０ｄとの位置関係では、相対的に、輪郭線４０ａが外側に位置し、第１の環状線４０ｄが内側に位置している。
【００４０】
それゆえ、輪郭線４０ａと第１の環状線４０ｄとの相対位置関係において、輪郭線４０ａは、本発明で言う、外側環状線になる。そして、第１の環状線４０ｄは、本発明で言う、内側環状線になる。
【００４１】
上記のように、第１のマーク４０は、複数の閉範囲を有している。それゆえ、図４に示すように、第１の表示部６０は、第１の部分６０ａと、第２の部分６０ｂと、を備えている。
【００４２】
第１の部分６０ａの平面形状は、第１の閉範囲４０ｂと略同じ形状である。第１の部分６０ａは、第１の表示孔５２内に収容されると、第１の閉範囲４０ｂを表す。
【００４３】
第１の部分６０ａには、貫通孔６０ｃが形成されている。貫通孔６０ｃは、第２の閉範囲４０ｃと略同じ形状である。貫通孔６０ｃは、第１の部分６０ａを貫通している。
【００４４】
第２の部分６０ｂの平面形状は、第２の閉範囲４０ｃと略同じ形状である。第２の部分６０ｂは、第１の表示孔５２内に収容されると、つまり、第１の部分６０ａの貫通孔６０ｃに嵌合すると、第２の閉範囲４０ｃを表す。
【００４５】
図７に示すように、第１の閉範囲４０ｂと第２の閉範囲４０ｃとは、互いに隣り合っている。つまり、第１の部分６０ａと第２の部分６０ｂとは、それぞれが第１の表示孔５２内に収容されると、互いに隣り合う。図４に示すように、第１の部分６０ａと第２の部分６０ｂとは、別々の部材で形成されている。
【００４６】
第２の表示部６１は、第２の表示孔５３内に収容される。第２の表示部６１は、第２の表示孔５３内に収容されることによって、第２の表示孔５３を塞ぐ。
【００４７】
ここで、第２のマーク４１について、詳細に説明する。図７に示すように、第２のマーク４１は、「Ｂ」を表している。第２のマーク４１の形状、つまり「Ｂ」という形状は、第１の閉範囲４１ｂと、２つの第２の閉範囲４１ｃと、を有しており、これら第１，２の閉範囲４１ｂ，４１ｃによって、「Ｂ」という形状に認識されている。
【００４８】
具体的に説明すると、第２のマーク４１は、輪郭線４１ａの内側に、第１の環状線４１ｄを２つ有している。各第１の環状線４１ｄは、閉じている。第１の閉範囲４１ｂは、輪郭線４１ａと各第１の環状線４１ｄとの間に規定される範囲である。つまり、第１の閉範囲４１ｂは、輪郭線４１ａの内側であってかつ各第１の環状線４１ｄの外側の範囲である、第１の閉範囲４１ｂは、閉じている。
【００４９】
各第２の閉範囲４１ｃは、各第１の環状線４１ｄによって囲まれることによって規定される範囲である。各第２の閉範囲４１ｃは、閉じている。
【００５０】
各第１の環状線４１ｄは、輪郭線４１ａの内側に位置している。輪郭線４１ａと各第１の環状線４１ｄとの位置関係では、相対的に、輪郭線４１ａが外側に位置し、各第１の環状線４１ｄが内側に位置する。
【００５１】
それゆえ、輪郭線４１ａと各第１の環状線４１ｄとの相対位置関係において、輪郭線４１ａは、本発明で言う、外側環状線になる。そして、各第１の環状線４１ｄは、本発明で言う、内側環状線になる。
【００５２】
また、各第２の閉範囲４１ｃは、第１の環状線４１ｄによって規定される閉範囲である。それゆえ、第１の閉範囲４１ｂと、各第２の閉範囲４１ｃとの関係では、第１の閉範囲４１ｂは、本発明で言う、所定の閉範囲になる。そして、各第２の閉範囲４１ｃは、本発明で言う、所定の閉範囲の内側において、少なくともこの閉範囲の内側環状線によって規定される複数の閉範囲となる。
【００５３】
上記のように、第２のマーク４１は、複数の閉範囲を有している。それゆえ、図４に示すように、第２の表示部６１、第１の部分６１ａと、２つの第２の部分６１ｂと、を備えている。
【００５４】
第１の部分６１ａの平面形状は、第１の閉範囲４１ｂと略同じ形状である。第１の部分６１ａは、第２の表示孔５３内に収容されると、第１の閉範囲４１ｂを表す。各第２の部分６１ｂの平面形状は、それぞれ対応する第２の閉範囲４１ｃと略同じ形状である。
【００５５】
第１の部分６１ａには、各第２の部分６１ｂの平面形状と略同じ形状の貫通孔６１ｃが一対形成されている。これら貫通孔６１ｃは、第１の部分６１ａを貫通している。各第２の部分６１ｂは、第２の表示孔５３内に収容されると、つまり、第１の部分６１ａの貫通孔６１ｃに嵌合されると、第２の閉範囲４１ｃを表す。
【００５６】
図７に示すように、第１の閉範囲４１ｂと各第２の閉範囲４１ｃとは、互いに隣り合っている。つまり、第１の部分６１ａと第２の部分６１ｂとは、隣り合う。図４に示すように、第１の部分６１ａと第２の部分６１ｂとは、別々の部材で形成されている。
【００５７】
第３の表示部６２は、第３の表示孔５４内に収容される。第３の表示部６２は、第３の表示孔５４内に収容されることによって、第３の表示孔５４を塞ぐ。
【００５８】
ここで、第３のマーク４２について、詳細に説明する。図７に示すように、第３のマーク４２は、「Ｃ」を表している。第３のマーク４２は、輪郭線４２ａが、「Ｃ」という形状に閉じていることによって、認識されている。
【００５９】
第３のマーク４２は、第１の閉範囲４２ｂを有している。第１の閉範囲４２ｂは、輪郭線４２ａによって囲まれる範囲である。第３の表示部６２の表面形状は、第１の閉範囲４２ｂと略同じ形状である。第３の表示部６２は、第３の表示孔５４内に収容されると、第３の表示孔５４を塞ぐ。
【００６０】
第４の表示部６３は、第４の表示孔５５内に収容される。第４の表示部６３は、第４の表示孔５５内に収容されることによって、第４の表示孔５５を塞ぐ。
【００６１】
ここで、第４のマーク４３について、詳細に説明する。図７に示すように、第４のマーク４３は、「Ｄ」を表している。第４のマーク４３の形状、つまり「Ｄ」という形状は、第１の閉範囲４３ｂと、第２の閉範囲４３ｃと、を有しており、これら第１，２の閉範囲４３ｂ，４３ｃによって、「Ｄ」という形状に認識されている。
【００６２】
具体的に説明すると、第４のマーク４３は、輪郭線４３ａの内側に、第１の環状線４３ｄを有している。第１の環状線４３ｄは、閉じている。第１の閉範囲４３ｂは、輪郭線４３ａと第１の環状線４３ｄとの間に規定される範囲である。つまり、第１の閉範囲４３ｂは、輪郭線４３ａの内側であってかつ第１の環状線４３ｄの外側の範囲である。第１の閉範囲４３ｂは、閉じている。
【００６３】
第２の閉範囲４３ｃは、第１の環状線４３ｄに囲まれることによって規定される範囲である。第２の閉範囲４３ｃは、閉じている。
【００６４】
第１の環状線４３ｄは、輪郭線４３ａの内側に位置している。つまり、輪郭線４３ａと第１の環状線４３ｄとの位置関係では、相対的に、輪郭線４３ａが外側に位置し、第１の環状線４３ｄが内側に位置する。
【００６５】
それゆえ、輪郭線４３ａと第１の環状線４３ｄとの相対位置関係において、輪郭線４３ａは、本発明で言う、外側環状線になる。そして、第１の環状線４３ｄは、本発明で言う、内側環状線になる。
【００６６】
上記のように、第４のマーク４３は、複数の閉範囲を有している。それゆえ、図４に示すように、第４の表示部６３は、第１の部分６３ａと、第２の部分６３ｂと、を備えている。
【００６７】
第１の部分６３ａの平面形状は、第１の閉範囲４３ｂの平面形状と略同じ形状である。第１の部分６３ａは、第４の表示孔５５内に収容されると、第１の閉範囲４３ｂを表す。
【００６８】
第２の部分６３ｂの平面形状は、第２の閉範囲４３ｃの平面形状と略同じ形状である。第１の部分６３ａには、第２の部分６３ｂの平面形状と略同じ形状の貫通孔６３ｃが形成されている。貫通孔６３ｃは、第１の部分６３ａを貫通している。
【００６９】
第２の部分６３ｂは、第１の表示孔５２内に収容されると、つまり、第１の部分６３ａの貫通孔６３ｃに嵌合されると、第２の閉範囲４３ｃを表す。
【００７０】
図７に示すように、第１の閉範囲４３ｂと各第２の閉範囲４３ｃとは、互いに隣り合っている。それゆえ、第１の部分６３ａと各第２の部分６３ｂとは、互いに隣り合う。図４に示すように、第１の部分６３ａと第２の部分６３ｂとは、別々の部材で形成されている。
【００７１】
上記のように形成される、第１の表示部６０の第１の部分６０ａと、第２の表示部６１の第１の部分６１ａと、第３の表示部６２と、第４の表示部６３の第１の部分６３ａとは、互いに一体に形成されており、第１の部材７０の一部を構成している。
【００７２】
図８は、第１の部材７０を拡大して示している。第１の部材７０は、本体部７１と、第１の表示部６０の第１の部分６０ａと、第２の表示部６１の第１の部分６１ａと、第３の表示部６２と、第４の表示部６３の第１の部分６３ａと、を有している。
【００７３】
本体部７１は、例えば板状である。図４に示すように、本体部７１は、第１〜第４の表示孔５２，５３，５４，５５を覆う大きさを有している。本体部７１には、溶着ピン５６が通るピン貫通孔７２が形成されている。
【００７４】
第１の表示部６０の第１の部分６０ａと、第２の表示部６１の第１の部分６１ａと、第３の表示部６２と、第４の表示部６３の第１の部分６３ａとは、本体部７１に一体に形成されている。第１の表示部６０の第１の部分６０ａと、第２の表示部６１の第１の部分６１ａと、第３の表示部６２と、第４の表示部６３の第１の部分６３ａとは、本体部７１から突出している。
【００７５】
図９は、本体部７１の裏面７３を示している。裏面７３とは、本体部７１において第１の表示部６０の第１の部分６０ａと、第２の表示部６１の第１の部分６１ａと、第３の表示部６２と、第４の表示部６３の第１の部分６３ａとが設けられている面の反対側の面である。図９に示すように、各貫通孔６０ｃ，６１ｃ，６３ｃは、本体部７１を貫通している。
【００７６】
図４に示すように、上記された、第１の表示部６０の第２の部分６０ｂと、第２の表示部６１の第２の部分６１ｂと、第４の表示部６３の第２の部分６３ｂとは、一体に形成されており、第２の部材７５の一部を構成している。
【００７７】
図１０は、第２の部材７５を拡大して示しいている。図１０に示すように、第２の部材７５は、本体部７６と、第１の表示部６０の第２の部分６０ｂと、第２の表示部６１の第２の部分６１ｂと、第４の表示部６３の第２の部分６３ｂと、を有している。
【００７８】
図４に示すように、本体部７６は、第１〜第４の表示孔５２，５３，５４，５５を覆う大きさを有している。本体部７６には、溶着ピン５６が通る、ピン貫通孔７７が形成されている。なお、本体部７６は、貫通孔６１ｃ，６２ｃ，６３ｃを覆う大きさを有していればよい。
【００７９】
第１の表示部６０の第２の部分６０ｂと、第２の表示部６１の第２の部分６１ｂと、第４の表示部６３の第２の部分６３ｂとは、本体部７６に一体に形成されている。第１の表示部６０の第２の部分６０ｂと、第２の表示部６１の第２の部分６１ｂと、第４の表示部６３の第２の部分６３ｂとは、本体部７６から突出している。
【００８０】
図１１は、第２の部材７５の裏面７８を示している。裏面７８とは、本体部７６において第１の表示部６０の第２の部分６０ｂと、第２の表示部６１の第２の部分６１ｂと、第４の表示部６３の第２の部分６３ｂとが設けられる面の反対側の面である。
【００８１】
図１１に示すように、第１の表示部６０の第２の部分６０ｂと、第２の表示部６１の第２の部分６１ｂと、第４の表示部６３の第２の部分６３ｂとは、内部が空状に形成されている。
【００８２】
つぎに、第１〜第４の表示部６０，６１，６２，６３の表面の位置ついて、説明する。
【００８３】
図１２は、第１の部材７０が第２の壁部３１ｂに取り付けられた状態を、第２の壁部３１ｂの表面３４側から見ている。
【００８４】
つまり、図１２は、第１の表示部６０の第１の部分６０ａが第１の表示孔５２に収容され、第２の表示部６１の第１の部分６１ａが第２の表示孔５３内に収容され、第３の表示部６２が第３の表示孔５４内に収容され、かつ第４の表示部６３の第１の部分６３ａが第４の表示孔５５内に収容されている状態を示している。
【００８５】
図１３は、図３に示されるＦ１３−Ｆ１３線に沿う断面図である。図１２と図１３とに示すように、第１の部材７０が第２の壁部３１ｂに取り付けられた状態では、第１の表示部６０の第１の部分６０ａの表面６０ｄの位置は、第２の壁部３１ｂの表面３４において第１の表示孔５２の外周縁５２ａの近傍の位置よりも低くなるように設定されている。
【００８６】
同様に、第２の表示部６１の第１の部分６１ａの表面６１ｄの位置は、第２の壁部３１ｂの表面３４において第２の表示孔５３の外周縁５３ａの近傍の位置よりも低くなるように設定されている。
【００８７】
同様に、第３の表示部６２の表面６２ａの位置は、第２の壁部３１ｂの表面３４において第３の表示孔５４の外周縁５４ａの近傍位置よりも低くなるように設定されている。
【００８８】
同様に、第４の表示部６３の第１の部分６３ａの表面６３ｄの位置は、第２の壁部３１ｂの表面３４において第４の表示孔５５の外周縁５５ａの近傍よりも低くなるようにように設定されている。
【００８９】
例えば、第１の表示部６０の第１の部分６０ａの表面６０ｄの位置と、第２の表示部６１の第１の部分６１ａの表面６１ｄの位置と、第３の表示部６２の表面６２ａの位置と、第４の表示部６３の第１の部分６３ａの表面６３ｄの位置とは、互いに同じであってもよい。
【００９０】
また、図３と図１３とに示すように、第２の部材７５が第２の壁部３１ｂに取り付けられた状態では、第１の表示部６０の第２の部分６０ｂの表面６０ｅの位置は、第１の部分６０ａの表面６０ｄの位置と異なる。例えば、第２の部分６０ｂの表面６０ｅの位置は、第２の壁部３１ｂの表面３４の位置と同じであってもよい。
【００９１】
第２の表示部６１の第２の部分６１ｂの表面６１ｅの位置は、第１の部分６１ａの表面６１ｄの位置と異なる。例えば、第２の部分６１ｂの表面６１ｅの位置は、第２の壁部３１ｂの表面３４の位置と同じであってもよい。
【００９２】
第４の表示部６３の第２の部分６３ｂの表面６３ｅの位置は、第１の部分６３ａの表面６３ｄの位置と異なる。例えば、第２の部分６３ｂの表面６３ｅの位置は、第２の壁部３１ｂの表面３４の位置と同じであってもよい。
【００９３】
つぎに、マーク表示構造５０の組み立て手順の一例を説明する。  
まず、図４に示すように、第１〜第４の表示部６０，６１，６２，６３が、第１〜第４の表示孔５２，５３，５４，５５に対向するように、第１，２の部材７０，７５を位置決めする。
【００９４】
ついで、第１の部材７０を、各第１の部分６０ａ，６１ａ，６３ａおよび第３の表示部６２が、対応する表示孔５２，５３，５４，５５に収容されるように、第２の壁部３１ｂの内面３５側から取り付ける。
【００９５】
図１４は、第１の部材７０が第２の壁部３１ｂに取り付けられた状態を示している。図１４に示すように、第２の壁部３１ｂに設けられる溶着ピン５６は、本体部７１に形成されるピン貫通孔７２内を通る。
【００９６】
図１３と図１４とに示すように、第１の部材７０が第２の壁部３１ｂに取り付けられた状態では、本体部７１は、第２の壁部３１ｂの内面３５に接触している。つまり、本体部７１は、本発明で言う係合部として機能する。それゆえ、各第１の部分６０ａ，６１ａ，６３ａおよび第３の表示部６２が、各表示孔５２，５３，５４，５５を通って外側に抜け出ることは、ない。
【００９７】
ついで、図４に示すように、第２の部材７５を取り付ける。第２の部材７５は、各第２の部分６０ｂ，６１ｂ，６３ｂが、対応する貫通孔６０ｃ，６１ｃ，６３ｃ内を通るように、取り付けられる。
【００９８】
図１５は、第２の部材７５が、第２の壁部３１ｂ側、つまり、第１の部材７０の裏面７３に取り付けられた状態を示している。図１５に示すように、溶着ピン５６は、ピン貫通孔７７を通る。
【００９９】
図１３と図１５とに示すように、第２の部材７５が第１の部材７０の裏面７３に取り付けられた状態では、第２の部材７５の本体部７６は、第１の部材７０の裏面７３に接触している。つまり、本体部７６は、本発明で言う係合部として機能する。それゆえ、各第２の部分６０ｂ，６１ｂ，６３ｂが、各表示孔５２，５３，５５を通って、外側に抜け出ることは、ない。
【０１００】
溶着ピン５６は、第２の部材７５のピン貫通孔７７を通った後、潰される。溶着ピン５６が潰されることによって、第１，２の部材７０，７５が第２の壁部３１ｂから外れることが抑制される。
【０１０１】
なお、第１，２の部材７０，７５の取り付け手順は、上記に限定されない。例えば、第２の部材７５が第１の部材７０に取り付けられた後、これらの一体物が第２の壁部３１ｂに取り付けられてもよい。
【０１０２】
このように構成されるマーク表示構造５０を備えるポータブルコンピュータ１０では、第１，２の部材７０，７５は、筐体３１の内側から外側に向かって、第２の壁部３１ｂ側に取り付けられる。そして、各本体部７１，７６は、内側から外側へ向かう方向に、第２の壁部３１ｂ側に係合する。
【０１０３】
それゆえ、第１〜第４の表示部６０，６１，６２，６３は、第１〜第４の表示孔５２，５３，５４，５５を通って、外側へ抜け出ることはない。したがって、第１〜第４のマーク４０，４１，４２，４３が外れるというこがないので、マークの外観が損なわれることが抑制される。
【０１０４】
また、第１，２，４のマーク４０，４１，４３のように、輪郭線４０ａ，４１ａ，４３ａと第１の環状線４０ｄ，４１ｄ，４３ｄとの間に規定される第１の閉範囲４０ｂ，４１ｂ，４３ｂと、第１の環状線４０ｄ，４１ｄ，４３ｄに囲まれる第２の閉範囲４０ｃ，４１ｃ，４３ｃと、を有する場合、第１，２，４の表示部６０，６１，６３は、第１，２の範囲に対応する第１の部分６０ａ，６１ａ，６３ａと第２の部分６０ｂ，６１ｂ，６３ｂとを有している。
【０１０５】
それゆえ、各第１，２，４の表示部６０，６１，６２は、第１，２の範囲を表現しやすくなるので、第１，２，４のマーク４０，４１，４３は、その形状が明確に表現されるようになる。
【０１０６】
また、第１，２，４のマーク４０，４１，４３のように、第１の閉範囲４０ｂ，４１ｂ，４３ｂと第２の閉範囲４０ｃ，４１ｃ，４３ｃとが、互いに隣り合う場合は、第１の部分６０ａ，６１ａ，６３ａと、第２の部分６０ｂ，６１ｂ，６３ｂとが別々の部材、本実施形態では、第１の部材７０と第２の部材７５とに形成されることによって、第１の閉範囲４０ｂ，４１ｂ，４３ｂと、第２の閉範囲４０ｃ，４１ｃ，４３ｃは、より一層明確に表現されるようになる。
【０１０７】
また、所定の閉範囲の内側において、少なくともこの閉範囲の内側環状線によって規定される閉範囲が複数ある場合、これら閉範囲を表す部分は、互いに一体に形成されることによって、部品点数が削減される。
【０１０８】
具体的には、第２のマーク４１のように、第１の閉範囲４１ｂの内側に、第１の環状線４１ｄによって規定される第２の閉範囲４１ｃが２つある場合、これら第２の閉範囲４１ｃを表す第２の部分６１ｂが、第２の部材７５に一体に形成されることによって、部品点数が削減される。
【０１０９】
また、複数のマークが表示される場合、各マークにおいてこのマークの輪郭線から内側に向かって同じ順番にある閉範囲が互いに一体に形成されることによって、部品点数が削減される。
【０１１０】
この点について具体的に説明する。第１のマーク４０の第１の閉範囲４０ｂは、輪郭線４０ａから内側に向かって、１つ目の閉範囲である。第２のマーク４１の第１の閉範囲４１ｂは、輪郭線４１ａから内側に向かって、１つ目の閉範囲である。第３のマーク４２の第１の閉範囲４２ｂは、輪郭線４２ａから内側に向かって１つ目の閉範囲である。第４のマーク４３の第１の閉範囲４３ｂは、輪郭線４３ａから内側に向かって１つ目の閉範囲である。
【０１１１】
そして、これら第１の閉範囲４０ｂ，４１ｂ，４２ｂ，４３ｂを表す第１の部分６０ａ，６１ａ，６３ａおよび第３の表示部６２は、第１の部材７０に一体に形成されている。それゆえ、互いに隣り合う閉範囲どうしを別部材で形成するとともに、部品点数が削減される。
【０１１２】
同様に、第１のマーク４０の第２の閉範囲４０ｃは、輪郭線４０ａから内側に向かって、２つ目の閉範囲である。第２のマーク４１の第２の閉範囲４１ｃは、輪郭線４１ａから内側に向かって、２つ目の閉範囲である。第４のマーク４３の第２の閉範囲４３ｃは、輪郭線４３ａから内側に向かって２つ目の閉範囲である。
【０１１３】
そして、これら第２の閉範囲４０ｃ，４１ｃ，４３ｃを表す第２の部分６０ｂ，６１ｂ，６３ｂは、第２の部材７５に一体に形成されている。それゆえ、互いに隣り合う閉範囲どうしを別部材で形成するとともに、部品点数が削減される。
【０１１４】
また、各第１の部分６０ａ，６１ａ，６３ａの表面６０ｄ，６１ｄ，６３ｄの位置および第３の表示部６２の表面６２ａの位置と、第２の壁部３１ｂの表面３４の位置とは、異なる。そして、第１の部分６０ａ，６１ａ，６３ａの表面６０ｄ，６１ｄ，６３ｄの位置と、第２の部分６０ｂ，６１ｂ，６３ｂの表面６０ｅ，６１ｅ，６３ｅの位置とは、異なる。
【０１１５】
それゆえ、第１〜第４のマーク４０，４１，４２，４３は、立体的に表現されるようになるので、外観が向上する。
【０１１６】
つぎに、本発明の第２の実施形態に係るポータブルコンピュータ１０を、図１６を参照して説明する。なお、第１の実施形態と同様な機能を有する構成は、同一の符号を付して説明を省略する。
【０１１７】
本実施形態では、マーク表示構造５０が、さらに、光源８０を備える点が、第１の実施形態と異なる。他の点は、同様であってよい。この点について、具体的に説明する。
【０１１８】
図１６は、第２の壁部３１ｂにおいて、第１〜第４のマーク４０，４１，４２，４３が形成される範囲１００を、第１〜第４のマーク４０，４１，４２，４３が並ぶ方向に沿って、上下方向に断面した状態を示している。
【０１１９】
図１６に示すように、本実施形態のマーク表示構造５０は、さらに、光源８０を備えている。光源８０としては、ＬＥＤなどの発光素子などがある。光源８０は、例えば筐体３１内の設けられる取り付け部８１に取り付けられている。光源８０は、第１〜第４の表示孔５２，５３，５４，５５に対向する位置に配置されている。なお、光源８０は、直接的または間接的であっても、各表示部をできる位置にあればよい。
【０１２０】
本実施形態では、第１の部材７０は、透明体で形成されている。そして、第２の部材７５は、光を通さない部材で形成されている。第１の部材７０が光を通すとともに、第２の部材７５が光を通さないことによって、光源８０から照射された光は、第１の部分６０ａ，６１ａ，６３ａおよび第３の表示部６２を通って筐体３１の外部へ出る。
【０１２１】
それゆえ、第１の実施形態の効果に加えて、第１〜第４のマーク４０，４１，４２，４３の認識効果が高められる。
【０１２２】
なお、本実施形態では、第２の部材７５は、光を通さない部材で形成されたが、これに限定されない。例えば、第２の部材７５も光を通す透明体であってもよい。
【０１２３】
この場合、第１の部材７０と第２の部材７５とは、互いに異なる色を有する透明体である。例えば、第１の部材７０が赤色を有する透明体であって、第２の部材７５が青色を有する透明体である。
【０１２４】
このようにすることによって、第１〜第４のマーク４０，４１，４２，４３は、第１〜
４の表示部６０，６１，６２，６３が有する色に光るので、その形状がより一層認識されるようになるので、認識効果が向上する。
【０１２５】
また、本実施形態では、光源８０は、一つ用いられたが、これに限定されない。例えば、光源８０は、マーク４０，４１，４２，４３にそれぞれ一ずつ用いられてもよい。または、光源８０は、いくつかのマークに共通して用いられてもよい。
【０１２６】
また、第１，２の部材７０，７５において、第１〜第４の表示部６０，６１，６２，６３だけが透明体な部材で形成されてもよい。また、光源８０は、点滅してもよい。点滅することによって、認識効果は、向上する。
【０１２７】
つぎに、本発明の第３の実施形態に係る電子機器を、ポータブルコンピュータ１０を一例に、図１７を参照して説明する。なお、第１の実施形態と同様な機能を有する構成は、同一の符号を付して説明を省略する。
【０１２８】
本実施形態では、第１の部分６０ａ，６１ａ，６３ａと第２の部分６０ｂ，６１ｂ，６３ｂとが一体に形成されている点が、第１の実施形態と異なる。他の点は、同様であってよい。この点について、具体的に説明する。
【０１２９】
図１７は、第２の壁部３１ｂにおいて、第１〜第４のマーク４０，４１，４２，４３が形成される範囲１００を、第１〜第４のマーク４０，４１，４２，４３が並ぶ方向に沿って、上下方向に断面した状態を示している。
【０１３０】
図１７に示すように、本実施形態では、第２の部分６０ｂ、６１ｂ，６３ｂは、第１の部材７０に一体に形成されている。
【０１３１】
本実施形態では、第１の実施形態の効果に加えて、部品点数が削減されるので、コストを低くすることができる。
【０１３２】
なお、本実施形態であっても、第２の実施形態と同様に、光源８０を備える構造が用いられてもよい。
【０１３３】
つぎに、本発明の第４の実施形態に係る電子機器を、ポータブルコンピュータ１０を一例に、図１８と図１９とを参照して説明する。なお、第１の実施形態と同様な機能を有する構成は、同一の符号を付して説明を省略する。
【０１３４】
本実施形態では、マーク表示構造５０は、第１のマーク４０と、第２のマーク４１と、を表す。図１８は、本実施形態の第１のマーク４０と第２のマーク４１とを上方から見た平面図である。
【０１３５】
図１８に示すように、本実施形態では、第１のマーク４０は、さらに、第３の閉範囲４０ｅを有しており、３重円を表している。
【０１３６】
具体的に説明すると、本実施形態の第１のマーク４０は、第１の環状線４０ｄの内側に、さらに第２の環状線４０ｆを有している。第２の環状線４０ｆは、閉じている。輪郭線４０ａと第１，２の環状線４０ｄ，４０ｆとは、略円形であって、それぞれ同心上に配置されている。
【０１３７】
本実施形態では、第２の閉範囲４０ｃは、第１の環状線４０ｄと第２の環状線４０ｆとの間に規定される範囲である。つまり、第２の閉範囲４０ｃは、第１の環状線４０ｄの内側であってかつ第２の環状線４０ｆの外側の範囲である。第２の閉範囲４０ｃは、閉じている。
【０１３８】
第３の閉範囲４０ｅは、第２の環状線４０ｆに囲まれることによって規定される範囲である。第２の環状線４０ｆは、第１の環状線４０ｄの内側に位置している。第１の環状線４０ｄと第２の環状線４０ｆとの位置関係では、相対的に、第１の環状線４０ｄが外側に位置し、第２の環状線４０ｆが内側に位置している。
【０１３９】
それゆえ、第１の環状線４０ｄと第２の環状線４０ｆとの相対位置関係において、第１の環状線４０ｄは、本発明で言う、外側環状線になる。第２の環状線４０ｆは、本発明で言う、内側環状線になる。
【０１４０】
上記のように、第１のマーク４０は、第３の閉範囲４０ｅを有している。それゆえ、第１の表示部６０は、さらに、第３の部分６０ｆを備えている。
【０１４１】
図１９は、本実施形態のマーク表示構造５０が分解された状態を示している。図１９に示すように、第２の部分６０ｂには、貫通孔６０ｇが形成されている。貫通孔６０ｇは、第３の閉範囲４０ｅと略同じ形状である。貫通孔６０ｇは、第２の部分６０ｂを貫通している。
【０１４２】
第３の部分６０ｆの平面形状は、第３の閉範囲４０ｅと略同じ形状である。第３の部分６０ｆは、第１の表示孔５２内に収容されると、つまり、第２の部分６０ｂの貫通孔６０ｇ内に嵌合すると、第３の閉範囲４０ｅを表す。
【０１４３】
図１８に示すように、第２の閉範囲４０ｃと第３の閉範囲４０ｅとは、互いに隣り合っている。つまり、第２の部分６０ｂと第３の部分６０ｆとは、第１の表示孔５２内に収容されると、互いに隣り合う。図１９に示すように、第１〜第３の部分６０ａ，６０ｂ，６０ｆは、それぞれ別々に形成されている。
【０１４４】
図１８に示すように、本実施形態では、第２のマーク４１は、さらに、第３の閉範囲４１ｅを有しており、矩形を表している。
【０１４５】
具体的に説明すると、第２のマーク４１は、第１の環状線４１ｄの内側に、さらに第２の環状線４１ｆを有している。第２の環状線４１ｆは、閉じている。輪郭線４１ａと第１，２の環状線４１ｄ，４１ｆとは、略矩形である。
【０１４６】
本実施形態では、第２の閉範囲４１ｃは、第１の環状線４１ｄと第２の環状線４１ｆとの間に規定される範囲である。つまり、第２の閉範囲４１ｃは、第１の環状線４１ｄの内側であってかつ第２の環状線４１ｆの外側の範囲である。第２の閉範囲４１ｃは、閉じている。
【０１４７】
第３の閉範囲４１ｅは、第２の環状線４１ｆに囲まれることによって規定される範囲である。第２の環状線４１ｆは、第１の環状線４１ｄの内側に位置している。第１の環状線４１ｄと第２の環状線４１ｆとの位置関係では、相対的に、第１の環状線４１ｄが外側に位置し、第２の環状線４１ｆが内側に位置している。
【０１４８】
それゆえ、第１の環状線４１ｄと第２の環状線４１ｆとの相対位置関係において、第１の環状線４１ｄは、本発明で言う、外側環状線になる。そして、第２の環状線４１ｆは、本発明で言う、内側環状線になる。
【０１４９】
上記のように、第２のマーク４１は、第３の閉範囲４１ｅを有している。それゆえ、第２の表示部６１は、さらに、第３の部分６１ｆを備えている。
【０１５０】
図１９に示すように、第２の部分６１ｂには、貫通孔６１ｇが形成されている。貫通孔６１ｇは、第３の閉範囲４１ｅと略同じ形状である。貫通孔６１ｇは、第２の部分６１ｂを貫通している。
【０１５１】
第３の部分６１ｆの平面形状は、第３の閉範囲４１ｅと略同じ形状である。第３の部分６１ｆは、第２の表示孔５３内に収容されると、つまり、第２の部分６１ｂの貫通孔６１ｇに嵌合すると、第３の閉範囲４１ｅを表す。
【０１５２】
第２の閉範囲４１ｃと第３の閉範囲４１ｅとは、互いに隣り合っている。つまり、第２の部分６１ｂと第３の部分６１ｆとは、第２の表示孔５３内に収容されると、互いに隣り合う。第１〜第３の部分６１ａ，６１ｂ，６１ｆは、それぞれ別々に形成されている。
【０１５３】
上記のように形成される、第１の表示部６０の第３の部分６０ｆと、第２の表示部６１の第３の部分６１ｆとは、一体に形成されており、第３の部材９０の一部を構成している。
【０１５４】
第１のマーク４０の第３の閉範囲４０ｅは、輪郭線４０ａから内側に向かって３つ目の閉範囲である。第２のマーク４１の第３の閉範囲４１ｅは、輪郭線４１ａから内側に向かって３つ目の閉範囲である。
【０１５５】
第３の部材９０は、本体部９１と、第３の部分４０ｅ，４１ｅと、を有している。本体部９１は、第１，２の表示孔５２，５３を覆う大きさを有している。なお、本体部９１の大きさは、これに限定されない。本体部９１は、第２の部材７５に形成される貫通孔６０ｇ，６１ｇを覆う大きさを有していればよい。第３の部分６０ｆ，６１ｆは、本体部９１に一体に形成されている。本体部９１には、溶着ピン５６が通るピン貫通孔９２が形成されている。
【０１５６】
第３の部材９０が第２の壁部３１ｂ側、つまり第２の部材７５に取り付けられた状態において、第３の部分６０ｆ，６１ｆの表面６０ｈ，６１ｈの位置は、第２の部分６０ｂ，６１ｂの表面６０ｅ，６１ｅの位置と異なる。例えば、第３の部分６０ｆ，６１ｆの表面６０ｈ，６１ｈの位置は、第１の部分６０ａ，６１ａの表面６０ｄ，６１ｄの位置と同じであってもよい。
【０１５７】
本実施の形態では、第１の実施形態と同様な効果を得ることができる。なお、本実施形態であっても、第２の実施形態で説明されたように、第１〜第３の部材７０，７５，９０は、透明体で形成されてもよい。または、第３の実施形態で示されたように、第１〜第３の部分は、互いに一体に形成されてもよい。
【０１５８】
第１〜第３の実施形態では、マークが第１の閉範囲と第２の閉範囲とを有する場合が紹介され、第４の実施形態では、マークが第１〜第３の閉範囲を有する場合が紹介された。しかし、これに限定されない。マークは、より多くの閉範囲を有してもよい。
【０１５９】
また、第１〜３の実施形態では、マークとして、文字が表され、第４の実施形態では、マークとして簡単な図形が表されたが、これらに限定されない。例えば、会社のマークや、絵などが表されてもよい。
【図面の簡単な説明】
【０１６０】
【図１】本発明の第１の実施形態に係るポータブルコンピュータが開いた状態を示す斜視図。
【図２】図１に示されたポータブルコンピュータが閉じた状態を示す斜視図。
【図３】図２にＦ３で示される範囲の拡大図。
【図４】図３に示されたマーク表示構造の分解斜視図。
【図５】図４に示された第２の壁部を拡大して示す斜視図。
【図６】図５に示された第２の壁部の内面を示す斜視図。
【図７】図３に示された各マークの平面図。
【図８】図４に示された第１の部材を拡大して示す斜視図。
【図９】図８に示された第１の部材の裏面を下面を示す斜視図。
【図１０】図４に示された第２の部材を拡大して示す斜視図。
【図１１】図１０に示された第２の部材の裏面を示す斜視図。
【図１２】図５に示された第２の壁部に図８に示された第１の部材が取り付けられた状態を示す斜視図。
【図１３】図３に示されたＦ１３−Ｆ１３線に沿う断面図。
【図１４】図１２に示された第２の壁部を筐体の内側から見た斜視図。
【図１５】図３に示された第２の壁部を筐体の内側から見た斜視図。
【図１６】本発明の第２の実施形態に係るポータブルコンピュータの第２の壁部を、第１〜第４のマークが並ぶ方向に沿って上下方向に断面した断面図。
【図１７】本発明の第３の実施形態に係るポータブルコンピュータの第２の壁部を、第１〜第４のマークが並ぶ方向に沿って上下方向に断面した断面図。
【図１８】本発明の第４の実施形態に係るポータブルコンピュータの第１のマークと第２のマークを上方から見た平面図。
【図１９】図１８に示されたマーク表示構造の分解斜視図。
【符号の説明】
【０１６１】
１０…ポータブルコンピュータ（電子機器）、３１…筐体、３１ｂ…第２の壁部（壁部）、３４…表面、４０…第１のマーク、４０ａ…輪郭線、４０ｂ…第１の閉範囲、４０ｃ…第２の閉範囲、４０ｅ…第３の閉範囲、４１…第２のマーク、４１ａ…輪郭線、４１ｂ…第１の閉範囲、４１ｃ…第２の閉範囲、４１ｅ…第３の閉範囲、４２…第３のマーク、４２ａ…輪郭線、４２ｂ…第１の閉範囲、４３…第３のマーク、４３ａ…輪郭線、４３ｂ…第１の閉範囲、４３ｃ…第２の閉範囲、５０…マーク表示構造、５１…マーク表示体、５２…第１の表示孔、５２ａ…外周縁、５３…第２の表示孔、５３ａ…外周縁、５４…第３の表示孔、５４ａ…外周縁、５５…第４の表示孔、５５ａ…外周縁、６０…第１の表示部、６０ａ…第１の部分、６０ｂ…第２の部分、６０ｄ…表面、６０ｅ…表面、６０ｆ…第３の部分、６１…第２の表示部、６１ａ…第１の部分、６１ｂ…第２の部分、６１ｄ…表面、６１ｅ…表面、６１ｆ…第３の部分、６２…第３の表示部、６２ａ…表面、６３…第４の表示部、６３ａ…第１の部分、６３ｂ…第２の部分、６３ｄ…表面、６３ｅ…表面、７１…本体部（係合部）、７６…本体部（係合部）、８０…光源。
【図１】
2007065176.tif 000003
【図２】
2007065176.tif 000004
【図３】
2007065176.tif 000005
【図４】
2007065176.tif 000006
【図５】
2007065176.tif 000007
【図６】
2007065176.tif 000008
【図７】
2007065176.tif 000009
【図８】
2007065176.tif 000010
【図９】
2007065176.tif 000011
【図１０】
2007065176.tif 000012
【図１１】
2007065176.tif 000013
【図１２】
2007065176.tif 000014
【図１３】
2007065176.tif 000015
【図１４】
2007065176.tif 000016
【図１５】
2007065176.tif 000017
【図１６】
2007065176.tif 000018
【図１７】
2007065176.tif 000019
【図１８】
2007065176.tif 000020
【図１９】
2007065176.tif 000021